(57)【要約】      （修正有）【課題】子株用栽培床で生育された多数の苗を、簡単かつ容易に、しかも根を損傷することなく高能率に育苗できる育苗方法を提供する。【解決手段】親株栽培床２の下に、長手方向に延びる棚６に苗ポット７を長手方向に並べて多段の子株用栽培床５とし、棚６には脱着できるように苗ポット７を載せて、各苗ポット７の培地には養液を供給し、親株栽培床２の親株１から延びるランナー３に所定の間隔で発生する子株４を各苗ポット７に分割して植え付けした後、ランナー３を切断して子株４を苗ポット７で生育し、子株４の生育した苗ポット７を棚６から取り出して育苗する。【選択図】図２
2018085966.tif 000002
【特許請求の範囲】
【請求項１】
水平に配置させて複数の親株が長手方向に並べて植え付けられる親株用栽培床と、
前記親株用栽培床の下方に、前記親株用栽培床と平行な姿勢で上下に離して多段に配設され、かつ前記親株用栽培床の親株から延びるランナーを介して成長する子株を植え付けする培地を充填してなる子株用栽培床とを備える栽培装置を使用して親株から複数の子株を生育させる植物の生育方法であって、
前記子株用栽培床を、長手方向に延びる棚と、前記棚の長手方向に並べて前記棚に脱着自在に配置してなる複数の苗ポット７とで構成し、
各々の苗ポット７には培地を充填して、前記培地には子株を生育させる養液を供給し、
前記親株用栽培床に植え付けしている各親株から延びるランナーに発生する個々の子株を所定の間隔で各苗ポット７に分割して植え付け固定し、
前記苗ポット７に子株を植え付けした後、子株を苗ポット７で生育し、子株の生育した前記苗ポット７のランナーを切断して前記棚から取り出することを特徴とする育苗方法。
【請求項２】
請求項１に記載される育苗方法であって、
前記親株用栽培床に植え付けする親株をイチゴとすることを特徴とする育苗方法。
【請求項３】
請求項１または２に記載される育苗方法であって、
前記苗ポットに灌水チューブ又はランナー押さえを具備する点滴パイプを介して養液を供給することを特徴とする育苗方法。
【請求項４】
請求項１ないし３のいずれかに記載される育苗方法であって、
前記棚から取り出した苗ポット７を子株の根鉢を崩さない状態で定植することを特徴とする育苗方法。
【発明の詳細な説明】
【技術分野】
【０００１】
本発明は、主としてイチゴの育苗方法に関する。
【背景技術】
【０００２】
イチゴ等のように、親株からランナーから多数の子株を発生する植物の育苗装置は開発されている。（特許文献１、２参照）
特許文献１の育苗装置は、図５に示すように、親株用栽培床の両側に透水性シート１５を垂らし、親株から下方に延びるランナーに発生する子株を、透水性シート１５に植え付けして生育される。
また、特許文献２の育苗装置は、図６に示すように、親株用栽培床の両側に、多段に樋形の子株用栽培床１６を設け、樋形の子株用栽培床１６には培地と養液供給し、親株用栽培床１７の親株１８から延びるランナーに発生する子株を、子株用栽培床の培地に植え付けして育苗する。
【先行技術文献】
【特許文献】
【０００３】
【特許文献１】特開平７−３２７４８０号公報
【特許文献２】特開平１０−５２１７１号公報
【発明の開示】
【発明が解決しようとする課題】
【０００４】
以上の育苗装置を使用する育苗方法は、子株用栽培床を多段に配置し、親株から垂れ下がるように成長するランナーに発生する複数の子株を、子株用栽培床の培地に植え付けして育苗するので、狭い面積で多数の苗を成長できる特徴がある。しかしながら、この育苗方法は、子株用栽培床で成長した苗を定植するのに手間がかかる欠点がある。それは、引用文献１の育苗方法では、透水性シート１５にランダムに分散して子株が成長するので、各々の苗を分離して定植するために、苗の位置を考慮して、すなわち、各々の苗を分離するように透水性シート１５を切断する必要があって、この作業に著しく手間がかかるからである。また、引用文献２の育苗方法においても、樋形の子株用栽培床の培地に成長した各々の苗を分割して定植するので、苗の分離に著しく手間がかかる欠点がある。さらに、苗の分割作業において、根の損傷を防止しながら、透水性シート１５を切断し、あるいは培地を分割する必要があるので、慎重に分割する必要があり、また分割作業における根の傷つきは、定植後の生育を阻害する弊害となる。
【０００５】
本発明は、この欠点を解決することを目的に開発されたものである。本発明の重要な目的は、子株用栽培床で生育された多数の苗を、簡単かつ容易に、しかも根を損傷することなく高能率に育苗できる育苗方法を提供することにある。
【課題を解決するための手段及び効果】
【０００６】
本発明の植物の育苗方法は、水平に配置させて複数の親株１を長手方向に並べて植え付ける親株栽培床２と、親株栽培床２の下に、親株栽培床２と平行な姿勢で上下に離して多段に配設され、また親株栽培床２の親株１から延びるランナー３を介して成長する子株４を植え付けする培地を充填している子株用栽培床５とを備える栽培装置を使用して親株１から複数の子株４を生育させる。この育苗方法は、子株用栽培床５を、長手方向に延びる棚６と、棚６の長手方向に並べて棚６に脱着自在に配置してなる複数の苗ポット７とで構成し、各々の苗ポット７には培地を充填して、培地には子株４を生育させる養液を供給し、親株栽培床２に植え付けしている各親株１から延びるランナー３に所定の間隔で発生する子株４を各苗ポット７に分割して植え付けし、苗ポット７に子株４を植え付けした後、ランナー３を切断して子株４を苗ポット７で生育し、子株４の生育した苗ポット７を棚６から取り出することを特徴とする。
【０００７】
以上の育苗方法は、子株用栽培床で育苗された多数の苗を、簡単かつ容易に、しかも根の損傷を皆無にして分離して取り出しできる特徴がある。それは、以上の育苗方法が、子株用栽培床５を、長手方向に延びる棚６と、棚６の長手方向に並べて棚６に脱着自在に配置してなる複数の苗ポット７とで構成し、各々の苗ポット７には培地を充填して、培地には養液を供給して、親株栽培床２の親株１から延びるランナー３から発生する子株４を各々の苗ポット７に分割して植え付けし、苗ポット７で子株４を苗に成長させた後、ランナー３を切断して苗ポット７を棚６から取り出して、生育させる培地に定植できるからである。
【０００８】
本発明の育苗方法は、親株栽培床２に植え付けする親株１をイチゴとすることができる。
【０００９】
本発明の育苗方法は、苗ポット７に灌水チューブやランナー押さえを具備する点滴パイプを介して養液を供給することができる。この育苗方法によると、灌水チューブやランナー押さえを具備する点滴パイプが苗ポット７の培地に養液を供給することが出来、過剰になった養液は樋を介して苗の大小による水分の過不足を鉢の底面より吸収排出するので、飛沫感染する炭疽病などの病気に汚染されないで苗を水分の過不足が少ない状態で生育できる特徴がある。
【００１０】
本発明の育苗方法は、棚６から取り出した苗ポット７を子株４を入れた状態で、あるいは苗ポット７とから取り出して定植することができる。
【発明を実施するための最良の形態】
【００１１】
以下、本発明の実施例を図面に基づいて説明する。ただし、以下に示す実施例は、本発明の技術思想を具体化するための育苗方法を例示するものであって、本発明は育苗方法を以下の方法や装置に特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
以下、本発明の育苗方法に使用する育苗装置を図１と図２に示す。以下、イチゴの育苗方法に詳述する。ただ、本発明の育苗方法は育苗する植物をイチゴに特定するものでなく、親株からランナーが伸びて子株を苗に生育できる他の全ての植物の育苗方法として利用できる。
【００１４】
以上の育苗装置は、水平に配置させて複数の親株１が長手方向に並べて植え付けられる親株栽培床２と、親株栽培床２の下方に、親株栽培床２と平行な姿勢で上下に離して多段に配設され、かつ親株栽培床２の親株１から延びるランナー３を介して成長する子株４を植え付けする培地を充填してなる子株用栽培床５と、親株栽培床２及び子株用栽培床５を水平姿勢に配置する支柱フレームとを備える。
【００１５】
親株栽培床２は上方開口の樋形で、支持フレーム８の最上部に水平姿勢に配置される。親株栽培床２は、内部に用土等の培地を充填して、培地にイチゴなどの親株１が一定の間隔で植え付けされる。親株１は、イチゴなどの果実を収穫した後に親株栽培床２に植え付けられる。果実の収穫時に発生するランナー３は、果実の生育を優先して切断されるからである。ただ、果実を収穫しながらランナー３を成長させて子株４から育苗することもできる。親株栽培床２に植え付けられた親株１は、ランナー３が垂れ下がるように延びて一定の間隔で子株４が発生する。
【００１６】
子株用栽培床５は、長手方向に延びる棚６に、長手方向に複数の苗ポット７を脱着できるように並べている。苗ポット７は、棚６の長手方向に隙間なく並べられる。ランナー３から発生する子株４を効率よく苗ポット７に植え付けするためである。たとえば、苗ポット７は５ｃｍ〜１０ｃｍの間隔で長手方向に並べられる。棚６は、両端部とその中間部分を支持フレーム８に連結して、親株栽培床２の両側に多段に水平姿勢で配設される。図の栽培装置は、両側に各々５段の棚６を設けている。支持フレーム８は裾広がり状として、多段の棚６を階段状に、すなわち下段の棚６を上段の棚６よりも外側に配置して、ランナー３から発生する子株４を確実に苗ポット７に植え付けするようにしている。
【００１７】
棚６は、苗ポット７を定位置に安定して載せることができるように、建物の雨樋を使用する。雨樋は多量生産されるので、高品質で低コストな特徴がある。ただ、棚６は建物用の雨樋に特定するものでなく、苗ポット７を脱着できるように並べて配置できる他の全ての部材、たとえば、平面状の棚６板なども使用できる。本発明の育苗方法の棚６は、従来の子株用栽培床５のように、ここに培地を充填し子株４を生育させないからである。
【００１８】
棚６に並べられる各々の苗ポット７は、内部に培地を充填して、この培地に養液を供給する必要がある。各苗ポット７には、灌水チューブ９やランナー押さえを具備する点滴パイプ２１で養液が供給される。灌水チューブ９は、棚６と平行に配設される。灌水チューブ９は、一定の間隔で苗ポット７に養液を供給する灌水口（図示せず）を設けている。灌水口のピッチは、苗ポット７を並べているピッチに等しく、各灌水口から各々の苗ポット７に養液が供給される。灌水チューブ９は、苗ポット７の上に沿って配設され、子株４に養液を散水することなく、培地に養液を供給する。ランナー押さえを具備する点滴パイプ２１は、分岐路（図示せず）を介して養液の供給路１１に連結される。分岐路は灌水チューブと同様に棚と平行に配設される。この構造は、炭疽病等の飛沫感染に起因する病気を防止しながら、培地に養液を供給できる。
【００１９】
各段に配置される灌水チューブ９や分岐路は、チーズ１０を介して養液の供給路１１に連結され、供給路１１から供給される養液を各苗ポット７の培地に供給する。灌水チューブ９やランナー押さえを具備する点滴パイプ２１は親株栽培床２にも配置されて、供給路１１から供給される養液を親株栽培床２と苗ポット７の両方に供給する。
【００２０】
ランナー押さえを具備する点滴パイプ２１を図３と図４に示す。これ等の図に示すランナー押さえを具備する点滴パイプ２１は、苗ポット７の培地に挿入されて、ランナー３を定位置に保持する挿入アンカー２２と、挿入アンカー２２に連結している点滴ホース２３とを備える。図３と図４の挿入アンカー２２は、苗ポット７の培地にスムーズに挿入されてランナー３を定位置に保持する複数の挿入ロッドを下方に突出して設けており、挿入ロッドの間にはランナー３を案内して定位置に保持する保持溝２４を設けている。図３のランナー押さえを具備する点滴パイプ２１は、点滴ホース２３を挿入して保持する複数の貫通穴を上部に設けている。図３のランナー押さえを具備する点滴パイプ２１は板状で、プラスチックを成形し、あるいは金属板をプレス加工して製作される。このランナー押さえを具備する点滴パイプ２１は、貫通穴に点滴ホース２３を挿入して連結し、この状態で保持溝２４にランナーを案内して挿入アンカー２２を培地に押し込んで、ランナー３を定位置に保持する。また、貫通穴に挿入された点滴ホース２３を定位置に配置して、苗ポット７の最適位置に養液を供給する。図４のランナー押さえを具備する点滴パイプ２１は、挿入アンカー２２の上部に点滴ホース２３を連結して、点滴ホース２３に連結している灌水ノズルを設けている。
【００２１】
図３と図４に示すランナー押さえを具備する点滴パイプ２１は、ランナー３を苗ポット７の定位置に配置しながら、養液を苗ポット７の最適位置に供給できる。したがって、このランナー押さえを具備する点滴パイプ２１を使用する構造は、炭疽病等の飛沫感染に起因する病気をより効果的に防止しながら、培地に適切な量の養液を供給できる。
【００２２】
支持フレーム８は、両端や中間に配置された一対の垂直フレーム１２と、一対の垂直フレーム１２を連結している水平フレーム１３とからなる。一対の垂直フレーム１２は、水平フレーム１３に連結されて裾広がり状に固定される。水平フレーム１３は、垂直フレーム１２の外側に突出して、突出部１４に子株用栽培床５の棚６を載せている。この水平フレーム１３は、一対の垂直フレーム１２を連結し、さらに棚６を載せる台にも併用している。水平フレーム１３は棚６を載せるので、図において上下に５段にあって、両端部を垂直フレーム１２に固定している。棚６は水平フレーム１３に固定されて、支持フレーム８を自立できる構造に固定している。長い棚６の育苗装置は、棚６の中間に垂直フレーム１２を固定して棚６の荷重を垂直フレーム１２で支持する。
【００２３】
以上の育苗装置は、以下の方法でランナー３から発生する子株４を使用して育苗する。
１．親株栽培床２に所定のピッチで親株１を植え付けし、子株用栽培床５の棚６には、長手方向に同じ大きさの苗ポット７を長手方向に並べる。苗ポット７は隙間なく並べる。ランナー３から発生する子株４を効率よく何れかの苗ポット７に植え付けするためである。
２．棚６に沿って灌水チューブ９やランナー押さえを具備する点滴パイプ２１を配置する。灌水チューブ９は一定の間隔で設けている灌水口を各々の苗ポット７に配置する。灌水チューブ９は、灌水口のピッチを、隣接して並べている苗ポット７のピッチと同じピッチとし、全ての苗ポット７に灌水口から養液を供給する。ランナー押さえを具備する点滴パイプ２１は、点滴ホース２３を苗ポット７に灌水する位置であって、ランナー１９を定位置に保持する位置に固定する。親株栽培床２にも灌水チューブ９やランナー押さえを具備する点滴パイプ２１でもって養液を供給する。
３．親株１からランナー３が垂れ下がるように生育して子株４が発生すると、子株４を苗ポット７に案内する。子株４は苗ポット７に植え付けられて生育する。ランナー３は所定の間隔で子株４が発生する。ランナー３は下方に伸びて子株４を次々と発生するので、ランナー３が伸びるに従って下段の棚６にセットしている苗ポット７に子株４を植え付けする。苗ポット７に植え付けされない余分な子株４はランナー３から切り離す。また、ランナー３が伸びて、多段の棚６に複数の子株４を植え付けした後、ランナー３を切り離して、苗ポット７の子株４をランナー３から切り離す。
４．ランナー３から切り離された子株４は、苗ポット７の培地で生育して苗となる。
５．子株４が苗まで生育した後、苗ポット７を棚６から取り出して苗を生育させる栽培装置の栽培床や土耕栽培の畑に子株の根鉢を崩さない状態で定植する。苗は、苗ポット７に入れた状態で栽培床や畑に定植され、あるいは苗ポット７から取り出して定植される。
【産業上の利用可能性】
【００２４】
本発明の育苗方法は、イチゴなどの苗を効率よく育苗する方法として有効に使用される。
【図面の簡単な説明】
【００２５】
【図１】本発明の実施例にかかる育苗方法に使用される育苗装置の側面図である。
【図２】図１に示す育苗装置の正面図である。
【図３】ランナー押さえを具備する点滴パイプの使用状態を示す断面図である。
【図４】他の構造のランナー押さえを具備する点滴パイプの使用状態を示す断面図である。
【図５】従来の育苗装置の斜視図である。
【図６】従来の他の育苗装置の斜視図である。
【符号の説明】
【００２６】
１…親株
２…親株栽培床
３…ランナー
４…子株
５…子株用栽培床
６…棚
７…苗ポット
８…支持フレーム
９…灌水チューブ
１０…チーズ
１１…供給路
１２…垂直フレーム
１３…水平フレーム
１４…突出部
１５…透水性シート
１６…子株用栽培床
１７…親株用栽培床
１８…親株
１９…ランナー
２０…子株
２１…ランナー押さえを具備する点滴パイプ
２２…挿入アンカー
２３…点滴ホース
２４…保持溝
【図１】
2018085966.tif 000003
【図２】
2018085966.tif 000004
【図３】
2018085966.tif 000005
【図４】
2018085966.tif 000006
【図５】
2018085966.tif 000007
【図６】
2018085966.tif 000008